(57)【特許請求の範囲】
【請求項１】
固定接点と、
前記固定接点に接触する閉位置と、前記固定接点から離れた開位置との間を移動する可動接点と、
一方向の第１端に前記可動接点が設けられ、前記第１端とは反対側の第２端を支点として前記可動接点を前記閉位置と前記開位置との間で移動させる可動子と、
コイルと、
前記コイルの通電で生じる磁束により、前記可動子を駆動する接極子と、
前記接極子と前記可動子との間に設けられ、前記接極子と前記可動子との間で力を伝達する伝達ばねとを備え、
前記伝達ばねは、前記可動接点が前記開位置にある状態において、弾性変形した状態で前記接極子と接触し、
前記伝達ばねは、前記可動子の前記第１端に取り付けられていることを特徴とする電磁継電器。
【請求項２】
前記コイルを構成する電線が巻き回されるボビンと、
前記接極子に取り付けられる復帰ばねとをさらに備え、
前記復帰ばねは、弾性力により、前記接極子が前記可動子を閉位置にする第１状態から前記接極子が前記可動子を開位置にする第２状態へと前記接極子を移動させる向きの力を、前記接極子に作用させるように構成され、
前記ボビンは、前記接極子が前記第２状態にあるとき、前記復帰ばねが弾性変形した状態で接触する制限壁をさらに備えることを特徴とする請求項１記載の電磁継電器。
【請求項３】
固定接点と、
前記固定接点に接触する閉位置と、前記固定接点から離れた開位置との間を移動する可動接点と、
一方向の第１端に前記可動接点が設けられ、前記第１端とは反対側の第２端を支点として前記可動接点を前記閉位置と前記開位置との間で移動させる可動子と、
コイルと、
前記コイルの通電で生じる磁束により、前記可動子を駆動する接極子と、
前記接極子と前記可動子との間に設けられ、前記接極子と前記可動子との間で力を伝達する伝達ばねと、
前記コイルを構成する電線が巻き回されるボビンと、
前記接極子に取り付けられる復帰ばねと、を備え、
前記伝達ばねは、前記可動接点が前記開位置にある状態において、弾性変形した状態で前記接極子と接触し、
前記復帰ばねは、弾性力により、前記接極子が前記可動子を閉位置にする第１状態から前記接極子が前記可動子を開位置にする第２状態へと前記接極子を移動させる向きの力を、前記接極子に作用させるように構成され、
前記ボビンは、前記接極子が前記第２状態にあるとき、前記復帰ばねが弾性変形した状態で接触する制限壁をさらに備えることを特徴とする電磁継電器。
【請求項４】
前記伝達ばねは、前記可動子に取り付けられていることを特徴とする請求項３記載の電磁継電器。
【発明の詳細な説明】
【技術分野】
【０００１】
本発明は、一般に電磁継電器に関し、より詳細には、コイルへの通電により生じる磁気吸引力を用いて接点を開閉する電磁継電器に関する。
【背景技術】
【０００２】
従来、ラッチングリレー等のリレー（電磁継電器）が知られており、たとえば特許文献１に開示されている。特許文献１に記載のリレーでは、コイルを励磁したときに、固定子の吸引部と、接極子の吸着片との間に生じる磁気吸引力で接極子が回転し、接極子の駆動片が接点ばね（可動子）を押すことで、可動接点が固定接点に接触して接点が閉じる。また、特許文献１に記載のリレーでは、コイルを逆向きに励磁したときに、接極子が元の状態に復帰し、可動接点が固定接点から離れて接点が開く。
【先行技術文献】
【特許文献】
【０００３】
【特許文献１】特開２００６−２７８０５７号公報
【発明の概要】
【発明が解決しようとする課題】
【０００４】
しかしながら、上記従来例では、接点が開いて可動子が元の状態に復帰するときに、可動子が振動し、異音（残響）が発生する可能性があるという問題があった。
【０００５】
本発明は、上記の点に鑑みてなされており、異音を抑制することができる電磁継電器を提供することを目的とする。
【課題を解決するための手段】
【０００６】
本発明の第１の形態の電磁継電器は、固定接点と、前記固定接点に接触する閉位置と、前記固定接点から離れた開位置との間を移動する可動接点と、一方向の第１端に前記可動接点が設けられ、前記第１端とは反対側の第２端を支点として前記可動接点を前記閉位置と前記開位置との間で移動させる可動子と、コイルと、前記コイルの通電で生じる磁束により、前記可動子を駆動する接極子と、前記接極子と前記可動子との間に設けられ、前記接極子と前記可動子との間で力を伝達する伝達ばねとを備え、前記伝達ばねは、前記可動接点が前記開位置にある状態において、弾性変形した状態で前記接極子と接触し、前記伝達ばねは、前記可動子の前記第１端に取り付けられていることを特徴とする。
【０００９】
本発明の第２の形態の電磁継電器は、第１の形態において、前記コイルを構成する電線が巻き回されるボビンと、前記接極子に取り付けられる復帰ばねとをさらに備え、前記復帰ばねは、弾性力により、前記接極子が前記可動子を閉位置にする第１状態から前記接極子が前記可動子を開位置にする第２状態へと前記接極子を復帰させるように構成され、前記ボビンは、前記接極子が前記第２状態にあるとき、前記復帰ばねが弾性変形した状態で接触する制限壁をさらに備えることが好ましい。
本発明の第３の形態の電磁継電器は、固定接点と、前記固定接点に接触する閉位置と、前記固定接点から離れた開位置との間を移動する可動接点と、一方向の第１端に前記可動接点が設けられ、前記第１端とは反対側の第２端を支点として前記可動接点を前記閉位置と前記開位置との間で移動させる可動子と、コイルと、前記コイルの通電で生じる磁束により、前記可動子を駆動する接極子と、前記接極子と前記可動子との間に設けられ、前記接極子と前記可動子との間で力を伝達する伝達ばねと、前記コイルを構成する電線が巻き回されるボビンと、前記接極子に取り付けられる復帰ばねと、を備え、前記伝達ばねは、前記可動接点が前記開位置にある状態において、弾性変形した状態で前記接極子と接触し、前記復帰ばねは、弾性力により、前記接極子が前記可動子を閉位置にする第１状態から前記接極子が前記可動子を開位置にする第２状態へと前記接極子を移動させる向きの力を、前記接極子に作用させるように構成され、前記ボビンは、前記接極子が前記第２状態にあるとき、前記復帰ばねが弾性変形した状態で接触する制限壁をさらに備える。
本発明の第４の形態の電磁継電器は、第３の形態において、前記伝達ばねは、前記可動子に取り付けられている。
【発明の効果】
【００１０】
本発明は、伝達ばねがダンパとして機能することで、可動子を減速させて可動子の振動を抑えることができる。このため、本発明は、可動子の振動を早期に収束させることができ、可動子の振動により発生し得る異音を抑制することができる。
【図面の簡単な説明】
【００１１】
【図１】図１は、本発明の実施形態に係る電磁継電器の断面図である。
【図２】図２Ａは、同上の電磁継電器の一部であって、接点装置のオン状態を示す断面図である。図２Ｂは、同上の電磁継電器の一部であって、接点装置のオフ状態を示す断面図である。
【図３】図３は、同上の電磁継電器の分解斜視図である。
【図４】図４は、同上の電磁継電器において、接極子の一部の斜視図である。
【図５】図５Ａは、同上の電磁継電器における伝達ばねの斜視図である。図５Ｂは、同上の電磁継電器において、伝達ばねが取り付けられた可動子の斜視図である。
【図６】図６Ａは、同上の電磁継電器の一部であって、接点装置のオン状態を示す断面図である。図６Ｂは、同上の電磁継電器の一部であって、接点装置のオフ状態を示す断面図である。
【発明を実施するための形態】
【００１２】
本発明の実施形態に係る電磁継電器１００は、図１〜図３に示すように、固定接点１３と、可動接点１４と、可動子１５と、コイル２と、接極子６と、伝達ばね８とを備えている。可動接点１４は、固定接点１３に接触する閉位置と、固定接点１３から離れた開位置との間を移動する。可動子１５は、一方向の第１端１５３に可動接点１４が設けられ、第１端１５３とは反対側の第２端１５４を支点として可動接点１４を閉位置と開位置との間で移動させる。接極子６は、コイル２の通電で生じる磁束により、可動子１５を駆動する。
【００１３】
伝達ばね８は、接極子６と可動子１５との間に設けられ、接極子６と可動子１５との間で力を伝達する。そして、伝達ばね８は、可動接点１４が開位置にある状態において、弾性変形した状態で接極子６と接触する。
【００１４】
以下、本実施形態に係る電磁継電器１００について詳細に説明する。ただし、以下に説明する構成は、本発明の一例に過ぎず、本発明は下記の実施形態に限定されることはなく、この実施形態以外であっても、本発明に係る技術的思想を逸脱しない範囲であれば、設計等に応じて種々の変更が可能である。
【００１５】
また、以下では、図１において、固定接点１３と可動接点１４とが並ぶ方向を上下方向とし、固定接点１３から見て可動接点１４側を上方、その逆を下方として説明する。また、以下では、図１において、第１端子板１１及び第２端子板１２（後述する）が並ぶ方向を左右方向とし、第１端子板１１から見て第２端子板１２側を右方、その逆を左方として説明する。
【００１６】
なお、図１、図３には、これらの方向（上、下、左、右）を表す矢印を示すが、この矢印は、単に説明を補助する目的で記載しているに過ぎず、実体を伴わない。また、上記の方向の規定は、本実施形態の電磁継電器１００の使用形態を限定する趣旨ではない。
【００１７】
本実施形態では、電磁継電器１００がアイドリングストップ機能を有する自動車に搭載されている場合を例とする。そして、本実施形態では、電磁継電器１００が、走行用のバッテリから負荷（たとえば、ＬＥＤランプやインバータ）への直流電力の供給路に接点装置Ａ１（後述する）を挿入するように接続されて用いられる場合を例とする。このため、本実施形態の電磁継電器１００では、接点装置Ａ１を開閉することで、バッテリから負荷への直流電力の供給状態を切り替えることができる。
【００１８】
本実施形態の電磁継電器１００は、いわゆるヒンジ型リレーである。本実施形態の電磁継電器１００は、図１、図３に示すように、接点装置Ａ１と、駆動装置Ｂ１と、ケースＣ１とを備えている。
【００１９】
接点装置Ａ１は、図１、図３に示すように、一対の端子板１と、一対の固定接点１３と、一対の可動接点１４と、可動子１５とを備えている。以下では、一対の端子板１のうち左側の端子板１を「第１端子板１１」、右側の端子板１を「第２端子板１２」という。
【００２０】
第１端子板１１は、導電性材料（たとえば、銅（Cu））から左右方向に長い平板状に形成されている。第１端子板１１の長手方向（左右方向）の中間部には、図３に示すように、厚さ方向（上下方向）に貫通する一対の取付孔１１１が設けられている。一対の取付孔１１１には、それぞれ一対の固定接点１３の有する軸部１３１が挿入される。そして、各軸部１３１が第１端子板１１にかしめられることにより、一対の固定接点１３が第１端子板１１に取り付けられている。なお、一対の固定接点１３は、第１端子板１１と一体に構成されていてもよい。
【００２１】
第２端子板１２は、導電性材料（たとえば、銅（Cu））から左右方向に長い平板状に形成されている。第２端子板１２の長手方向（左右方向）の中間部には、厚さ方向（上下方向）に貫通する一対の固定孔１２１が設けられている。一対の固定孔１２１は、可動子１５を第２端子板１２に固定するために用いられる。
【００２２】
第１端子板１１及び第２端子板１２は、それぞれ第１端子部１１２及び第２端子部１２２を有している。第１端子部１１２は、矩形板状に形成されており、第１端子板１１の長手方向の一端（左端）から上方に突出している。第２端子部１２２は、矩形板状に形成されており、第２端子板１２の長手方向の一端（右端）から上方に突出している。第１端子部１１２及び第２端子部１２２には、それぞれねじ等が挿入される第１端子孔１１３及び第２端子孔１２３が設けられている。第１端子部１１２及び第２端子部１２２は、たとえばねじ止めにより、バッテリと負荷とを繋ぐ電路に電気的に接続される。
【００２３】
可動子１５は、導電性材料から左右方向に長い板状に形成されている。本実施形態では、可動子１５は、複数（ここでは、３枚）の板ばねを上下方向に沿って重ね合わせて構成されている。可動子１５の長手方向の第１端（左端）１５３には、厚さ方向（上下方向）に貫通する一対の取付孔１５２が設けられている。一対の取付孔１５２には、それぞれ一対の可動接点１４の有する軸部１４１が挿入される。そして、各軸部１４１が可動子１５にかしめられることにより、一対の可動接点１４が可動子１５に取り付けられている。つまり、可動子１５の一方向（長手方向）の第１端（左端）１５３に、一対の可動接点１４が設けられている。なお、一対の可動接点１４は、可動子１５と一体に構成されていてもよい。
【００２４】
可動子１５の長手方向の第２端（右端）１５４には、厚さ方向（上下方向）に貫通する一対の固定孔１５１が設けられている。可動子１５の第２端１５４は、第２端子板１２に固定されている。具体的には、可動子１５の一対の固定孔１５１を第２端子板１２の一対の固定孔１２１に重ね合わせて、これら固定孔１５１，１２１にピンを挿入してかしめることにより、可動子１５が第２端子板１２に固定される。
【００２５】
可動子１５は、長手方向の第２端（右端）１５４側で折り曲げられることにより、長手方向の第１端（左端）１５３が第１端子板１１と上下方向において間隔を空けて対向するように構成されている。したがって、可動子１５の一対の可動接点１４は、上下方向において第１端子板１１の一対の固定接点１３と対向している。
【００２６】
可動子１５は、駆動装置Ｂ１によって駆動されることにより、第１端（左端）１５３とは反対側の第２端（右端）１５４を支点として、一対の可動接点１４を閉位置と開位置との間で移動させる。ここで、閉位置は、一対の可動接点１４が一対の固定接点１３に接触する位置である（図２Ａ参照）。また、開位置は、一対の可動接点１４が一対の固定接点１３から離れた位置である（図２Ｂ参照）。
【００２７】
一対の可動接点１４が閉位置にあるとき、つまり接点装置Ａ１のオン状態では、第１端子板１１と第２端子板１２とが可動子１５を介して短絡する。したがって、接点装置Ａ１のオン状態では、第１端子板１１と第２端子板１２との間が導通し、バッテリから負荷へ直流電力が供給される。一対の可動接点１４が開位置にあるとき、つまり接点装置Ａ１のオフ状態では、第１端子板１１と第２端子板１２との間が開放されるので、バッテリから負荷へ直流電力が供給されない。
【００２８】
駆動装置Ｂ１は、図１、図３に示すように、コイル２と、ボビン３と、固定子４と、継鉄５と、接極子６と、復帰ばね７と、伝達ばね８とを備えている。また、固定子４と、継鉄５と、接極子６とは、いずれも磁性材料により形成されている。
【００２９】
コイル２は、ボビン３の外周面に電線（たとえば、銅線）を巻き付けることで構成されている。コイル２は、電線の第１端と第２端とがそれぞれ電気的に接続される一対のコイル端子２１を有している。コイル２は、一対のコイル端子２１を介して電流を供給されることで通電し、磁束を発生する。ボビン３は、たとえば合成樹脂材料などの電気絶縁性を有する材料により円筒状に形成されている。ボビン３は、その軸方向が左右方向と一致するように配置されている。
【００３０】
固定子４は、左右方向に長い円柱状に形成された鉄心である。固定子４は、その長手方向（左右方向）の両端をボビン３から露出させる形で、ボビン３の中空部３１に挿入されている。固定子４の長手方向の第１端（右端）は、中間部よりも径寸法が大きくなっており、接極子６と対向している。以下では、固定子４の第１端を「吸引部４１」という。また、固定子４の長手方向の第２端（左端）は、中間部よりも径寸法が小さくなっており、継鉄５の第１板５１（後述する）に固定されている。
【００３１】
継鉄５は、固定子４及び接極子６と共に、コイル２の通電時に生じる磁束が通る磁路を形成する。継鉄５は、左右方向に長い矩形状の板の中間部が折り曲げられることで、その断面がＬ字状となるように形成されている。継鉄５は、第１板５１と、第２板５２とを有している。第１板５１及び第２板５２は、いずれも矩形板状に形成されている。第１板５１は、コイル２の軸方向（左右方向）の一端側（左側）に設けられている。第１板５１には、厚さ方向（左右方向）に貫通する挿入孔５１１が設けられている。挿入孔５１１には、固定子４の第２端が挿入されている。第２板５２は、コイル２の下側に設けられている。
【００３２】
接極子６は、左右方向に長い矩形状の板の中間部６３が折り曲げられることで、その断面がＬ字状となるように形成されている。接極子６は、第１板６１と、第２板６２とを有している。第１板６１及び第２板６２は、いずれも矩形板状に形成されている。また、第１板６１の幅方向の寸法は、第２板６２の幅方向の寸法よりも小さくなっている。ここで、幅方向とは、上下方向及び左右方向のいずれとも略直交する方向である。
【００３３】
接極子６の第１板６１は、図１、図４に示すように、突部６１１を備えている。突部６１１は、第１板６１における可動子１５と対向する一面（下面）から下向きに突出している。また、突部６１１は、第１板６１と一体に形成されている。突部６１１の可動子１５と対向する一面は、球面状に形成されている。
【００３４】
接極子６は、その中間部６３を支点として、第２板６２が固定子４の吸引部４１に接触する第１位置と、第２板６２が固定子４の吸引部４１から離れる第２位置との間で回転可能に構成されている。接極子６が第１位置にあるとき、接極子６の第１板６１は、伝達ばね８を介して可動子１５を押している。また、接極子６が第２位置にあるとき、接極子６の第１板６１は、伝達ばね８を介して可動子１５から押されている。つまり、接極子６は、可動子１５を閉位置にする第１状態と、可動子１５を開位置にする第２状態との間で回転可能に構成されているともいえる。
【００３５】
復帰ばね７は、金属製の板ばねから断面がＬ字状となるように形成されている。復帰ばね７は、一対の第１片７１と、第２片７２とを一体に形成して構成されている。一対の第１片７１は、いずれも継鉄５の第２板５２に固定されている。第２片７２は、接極子６の第２板６２に固定されている。復帰ばね７は、接極子６が第１位置にあるときに撓むように構成されている。そして、復帰ばね７は、元の状態に復帰しようとすることで、接極子６を第１位置から第２位置へと移動させる向きの力を、接極子６に作用させる。
【００３６】
つまり、復帰ばね７は、弾性力により、接極子６を第１位置から第２位置へと移動させる向きの力を接極子６に作用させるように構成されている。言い換えれば、復帰ばね７は、弾性力により、第１状態から第２状態へと接極子６を移動させる向きの力を、接極子６に作用させるように構成されている。
【００３７】
伝達ばね８は、接極子６と可動子１５との間に設けられ、接極子６と可動子１５との間で力を伝達する。つまり、本実施形態では、接極子６から伝達ばね８を介して可動子１５に力が伝達され、可動子１５から伝達ばね８を介して接極子６に力が伝達される。
【００３８】
伝達ばね８は、図５Ａ、図５Ｂに示すように、たとえばステンレス鋼（ＳＵＳ）等の金属製の板ばねから平面視でＵ字状に形成されている。伝達ばね８は、一対の取付片８１と、連結片８２とを一体に形成して構成されている。一対の取付片８１及び連結片８２は、いずれも矩形状に形成されている。
【００３９】
一対の取付片８１には、それぞれ厚さ方向（上下方向）に貫通する孔８１１が設けられている。本実施形態では、これらの孔８１１にそれぞれ一対の可動接点１４の軸部１４１を挿入し、かしめることにより、一対の取付片８１が可動子１５に取り付けられている。なお、一対の取付片８１は、一対の可動接点１４と共に取り付けられていなくてもよい。つまり、伝達ばね８は、可動子１５において、一対の可動接点１４が取り付けられる部位とは異なる部位に取り付けられていてもよい。
【００４０】
連結片８２は、一対の取付片８１の各々の長手方向の端を連結している。ここで、連結片８２は、一対の取付片８１の各々との連結部位８３に沿って上向きに折り曲げられている。したがって、連結片８２は、連結部位８３を支点として撓み可能となっている。また、連結片８２は、一対の取付片８１が可動子１５に取り付けられた状態で、接極子６の第１板６１と対向している。そして、連結片８２は、接極子６の突部６１１に接触している。
【００４１】
ケースＣ１は、たとえばセラミック、合成樹脂などの電気絶縁性を有する材料やステンレス鋼（ＳＵＳ）により形成されている。ケースＣ１は、ベースＣ１１と、カバーＣ１２とを、たとえば溶接やろう付け、熱硬化型樹脂の接着剤を用いた接着等で結合することにより構成されている。ケースＣ１は、接点装置Ａ１及び駆動装置Ｂ１を収納する。なお、図１に示すように、接点装置Ａ１のうち第１端子板１１の第１端子部１１２と、第２端子板１２の第２端子部１２２とは、ケースＣ１から露出している。また、図１に示すように、駆動装置Ｂ１のうち一対のコイル端子２１の各々の一部は、ケースＣ１から露出している。
【００４２】
以下、本実施形態の電磁継電器１００の動作について図２Ａ、図２Ｂを用いて説明する。なお、以下の説明では、接点装置Ａ１のオフ状態における可動子１５の状態を「元の状態」という。接点装置Ａ１のオフ状態において、コイル２が通電すると、コイル２が磁束を発生する。すると、接極子６の第２板６２と固定子４の吸引部４１との間に磁気吸引力が生じることで、復帰ばね７の弾性力に抗して第２板６２が吸引部４１に引き寄せられる。これにより、接極子６が反時計回りに回転し、第２位置から第１位置に移動する。
【００４３】
接極子６の第１位置への移動に伴って、接極子６の第１板６１（ここでは、突部６１１）が伝達ばね８の連結片８２を押す。すると、伝達ばね８は、接極子６から可動子１５へと力を伝達する。可動子１５は、伝達ばね８からの力を受けて下向きに押されることにより、第２端（右端）１５４を支点として反時計回りに回転する。そして、一対の可動接点１４は、一対の固定接点１３に接触する閉位置へと移動する（図２Ａ参照）。よって、接点装置Ａ１がオン状態となり、第１端子板１１と第２端子板１２との間が導通する。
【００４４】
次に、コイル２の通電を解除すると、コイル２は磁束を発生しなくなる。すると、接極子６の第２板６２と、固定子４の吸引部４１との間の磁気吸引力も失われる。そして、接極子６は、復帰ばね７の弾性力によって時計回りに回転し、第１位置から第２位置に移動する。
【００４５】
接極子６の第２位置への移動に伴って、接極子６の第１板６１が伝達ばね８を介して可動子１５を押す力が弱まる。このため、可動子１５は、自身の弾性力により、第２端（右端）１５４を支点として時計回りに回転する。そして、一対の可動接点１４は、一対の固定接点１３から離れた開位置へと移動する（図２Ｂ参照）。
【００４６】
接極子６が第２位置に復帰して接極子６の移動が完了すると、接極子６が第２位置で固定される。このため、伝達ばね８の連結片８２は、接極子６の第１板６１と可動子１５とで挟まれることにより、弾性変形する。つまり、伝達ばね８は、一対の可動接点１４が開位置にある状態において、弾性変形した状態で接極子６（ここでは、突部６１１）に接触する。
【００４７】
すると、伝達ばね８の連結片８２が元の状態に復帰しようとする弾性力が、可動子１５に作用することにより、可動子１５が減速する。このため、可動子１５の振動が伝達ばね８により抑えられて収束し、可動子１５の移動が完了する。
【００４８】
上述のように、本実施形態の電磁継電器１００は、接極子６と可動子１５との間に設けられ、接極子６と可動子１５との間で力を伝達する伝達ばね８を備えている。そして、伝達ばね８は、一対の可動接点１４が開位置にある状態において、弾性変形した状態で接極子６と接触している。つまり、本実施形態の電磁継電器１００は、接点装置Ａ１がオン状態からオフ状態に移行するときに、伝達ばね８がダンパとして機能することで、可動子１５を減速させて可動子１５の振動を抑えることができる。このため、本実施形態の電磁継電器１００は、接点装置Ａ１がオン状態からオフ状態に移行するときに、可動子１５の振動を早期に収束させることができる。その結果、本実施形態の電磁継電器１００は、可動子１５の振動により発生し得る異音（残響）を抑制することができる。
【００４９】
また、本実施形態の電磁継電器１００では、伝達ばね８により、接極子６と可動子１５との相対的な位置関係が安定し易い。このため、本実施形態の電磁継電器１００は、伝達ばね８を備えない構成と比較して、接点装置Ａ１の振動や衝撃に対する耐性を向上させることができ、接点装置Ａ１の動作特性の安定化を図ることができる。さらに、本実施形態の電磁継電器１００は、たとえば電気自動車に搭載される場合、伝達ばね８により、電気自動車の走行時の振動が接極子６及び可動子１５に伝わり難いことから、接極子６及び可動子１５が振動することによる異音が発生し難い。
【００５０】
本実施形態の電磁継電器１００では、伝達ばね８は、可動子１５に取り付けられている。また、伝達ばね８は、可動子１５ではなく接極子６に取り付けられていてもよい。この場合、伝達ばね８の連結片８２が接極子６の第１板６１に取り付けられる。また、伝達ばね８は、可動子１５及び接極子６のいずれにも取り付けられていてもよい。この場合、伝達ばね８の一対の取付片８１が可動子１５に取り付けられると共に、連結片８２が接極子６の第１板６１に取り付けられる。
【００５１】
また、本実施形態の電磁継電器１００では、伝達ばね８は、可動子１５の第１端（左端）１５３に取り付けられている。つまり、伝達ばね８は、第２端（右端）１５４を支点として回転する可動子１５のうち、最も振れ幅の大きくなる第１端（左端）１５３に取り付けられている。この構成では、可動子１５の第１端１５３の振動を抑えることができるので、可動子１５の中間に伝達ばね８を取り付ける場合と比較して、より効果的に可動子１５の振動を早期に収束させることができる。とくに、伝達ばね８は、可動子１５の第１端１５３のうち、先端と可動接点１４が取り付けられている部位との間の領域に取り付けられるのが好ましい。なお、上記構成を採用するか否かは任意である。
【００５２】
ここで、本実施形態の電磁継電器１００は、一対の可動接点１４が開位置にある状態において可動子１５の振動を抑える構成の他に、接極子６が第２位置（第２状態）にあるときに接極子６の振動を抑える構成をさらに備えている。以下、接極子６の振動を抑える構成について説明する。
【００５３】
接極子６の振動を抑える構成として、復帰ばね７は、図６Ａ、図６Ｂに示すように、延長片７３と、突部７４とを備えている。延長片７３は、第２片７２と一体に形成されており、第２片７２の長手方向（上下方向）の一端から上向きに突出している。突部７４は、延長片７３から右向きに突出している。また、突部７４は、延長片７３と一体に形成されている。
【００５４】
また、接極子６の振動を抑える構成として、ボビン３は、図６Ａ、図６Ｂに示すように、制限壁３２を備えている。制限壁３２は、ボビン３と一体に形成されており、ボビン３の長手方向の一端（右端）から右向きに突出している。制限壁３２は、復帰ばね７の延長片７３を覆うように形成されている。また、制限壁３２の内壁３２１には、復帰ばね７の突部７４が対向している。突部７４における内壁３２１と対向する一面は、球面状に形成されている。
【００５５】
以下、本実施形態の電磁継電器１００の動作について図６Ａ、図６Ｂを用いて説明する。接点装置Ａ１のオン状態では、接極子６は、第１位置（第１状態）にある。また、接点装置Ａ１のオン状態では、復帰ばね７の第２片７２は、接極子６の第２板６２と共に固定子４の吸引部４１に引き寄せられている。したがって、第２片７２と一体に形成されている延長片７３は、図６Ａに示すように、制限壁３２の内壁３２１から離れた位置にある。
【００５６】
次に、コイル２の通電を解除すると、接点装置Ａ１は、オン状態からオフ状態に移行する。そして、接極子６は、第１位置（第１状態）から第２位置（第２状態）へと移動する。このとき、復帰ばね７の第２片７２は、接極子６の第２板６２と共に時計回りに回転する。したがって、第２片７２と一体に形成されている延長片７３も、時計回りに回転する。そして、図６Ｂに示すように、突部７４が制限壁３２の内壁３２１に接触することにより、延長片７３が弾性変形する。つまり、復帰ばね７（ここでは、延長片７３）は、接極子６が第２位置（第２状態）にあるとき、弾性変形した状態で制限壁３２（ここでは、内壁３２１）に接触する。
【００５７】
すると、復帰ばね７（延長片７３）が元の状態に復帰しようとする弾性力が、接極子６に作用することにより、接極子６が減速する。このため、接極子６の振動が復帰ばね７により抑えられて収束し、接極子６の移動が完了する。
【００５８】
このように、本実施形態の電磁継電器１００は、コイル２を構成する電線が巻き回されるボビン３と、接極子６に取り付けられる復帰ばね７とをさらに備えている。復帰ばね７は、弾性力により、接極子６が可動子１５を閉位置にする第１状態から接極子６が可動子１５を開位置にする第２状態へと接極子６を移動させる向きの力を、接極子６に作用させるように構成されている。そして、ボビン３は、接極子６が第２状態にあるとき、復帰ばね７が弾性変形した状態で接触する制限壁３２をさらに備えている。
【００５９】
このため、本実施形態の電磁継電器１００は、接点装置Ａ１がオン状態からオフ状態に移行するときに、復帰ばね７がダンパとして機能することで、接極子６を減速させて接極子６の振動を抑えることができる。このため、本実施形態の電磁継電器１００は、接点装置Ａ１がオン状態からオフ状態に移行するときに、接極子６の振動を早期に収束させることができる。その結果、本実施形態の電磁継電器１００は、接極子６の振動により発生し得る異音（残響）を抑制することができる。また、本実施形態の電磁継電器１００では、制限壁３２はボビン３と一体に形成されているため、接極子６の振動を抑制するために新たな部品を追加する必要が無い。
【００６０】
本実施形態では、制限壁３２は、復帰ばね７の一端（延長片７３）を覆うように形成されているが、他の形状であってもよい。つまり、制限壁３２は、少なくとも接極子６が第２状態にあるときに、復帰ばね７が弾性変形した状態で接触する形状であればよい。なお、上記構成を採用するか否かは任意である。
【００６１】
ここで、制限壁３２が削れるのを抑制するために、延長片７３の先端は、制限壁３２に接触しないのが好ましい。この構成を実現するために、制限壁３２の内側の空間を広げることも考えられるが、制限壁３２が大型化してしまう。そこで、本実施形態において、制限壁３２の延長片７３の先端側には、延長片７３の先端が制限壁３２に接触しないように、開口３２２が設けられている。このため、本実施形態の電磁継電器１００は、制限壁３２の大型化を回避しつつ、延長片７３の先端が制限壁３２に接触するのを回避することができる。なお、当該構成を採用するか否かは任意である。
【００６２】
ところで、本実施形態では、一対の可動接点１４が開位置にある状態において、伝達ばね８の接極子６と接触する部位（連結片８２）は、可動子１５との間に隙間を有しているが、この隙間はなくてもよい。つまり、一対の可動接点１４が開位置にある状態において、伝達ばね８の連結片８２は、可動子１５に接していてもよい。
【００６３】
また、本実施形態では、接極子６の突部６１１は、伝達ばね８と接触する面が球面状に形成されている。この構成では、伝達ばね８が接極子６に接触することによって接極子６が削れるのを抑制することができる。なお、突部６１１の伝達ばね８と接触する面の形状は、球面状に限定されず、他の形状であってもよい。また、本実施形態では、突部６１１が伝達ばね８と接触しているが、伝達ばね８は、直接、接極子６に接触する構成であってもよい。この場合、接極子６の突部６１１は不要である。
【００６４】
また、本実施形態では、復帰ばね７の突部７４は、制限壁３２と接触する面が球面状に形成されている。この構成では、復帰ばね７が制限壁３２に接触することによって制限壁３２が削れるのを抑制することができる。なお、突部７４の制限壁３２と接触する面の形状は、球面状に限定されず、他の形状であってもよい。また、本実施形態では、突部７４が制限壁３２と接触しているが、復帰ばね７の延長片７３が、直接、制限壁３２に接触する構成であってもよい。この場合、復帰ばね７の突部７４は不要である。
【００６５】
また、本実施形態の電磁継電器１００では、接点装置Ａ１は、一対の固定接点１３と、一対の可動接点１４とを備えているが、他の構成であってもよい。たとえば、接点装置Ａ１は、１つの固定接点１３と、１つの可動接点１４とを備えていてもよい。また、接点装置Ａ１は、３つ以上の固定接点１３と、３つ以上の可動接点１４とを備えていてもよい。
【００６６】
また、本実施形態の電磁継電器１００は、ａ接点リレー、ｂ接点リレー、ｃ接点リレーのいずれにも用いることができる。たとえば電磁継電器１００をｃ接点リレーとして用いる場合は、固定接点１３とは別に、可動接点１４が開位置にあるときに接触する固定接点を設ければよい。この構成では、コイル２の通電・非通電に応じて、可動接点１４が閉位置で接触する固定接点１３に接続される電路と、可動接点１４が開位置で接触する固定接点に接続される電路とを切り替えることができる。
【符号の説明】
【００６７】
１３  固定接点
１４  可動接点
１５  可動子
１５３  第１端
１５４  第２端
２  コイル
３  ボビン
３２  制限壁
６  接極子
７  復帰ばね
８  伝達ばね
１００  電磁継電器
【図１】
0006697732.tif 000002
【図２】
0006697732.tif 000003
【図３】
0006697732.tif 000004
【図４】
0006697732.tif 000005
【図５】
0006697732.tif 000006
【図６】
0006697732.tif 000007